(57)【要約】【課題】  光ディスクの反射層の色彩に応じて、最適なストラテジによりデータを記録することが可能な光ディスク装置を提供すること。【解決手段】  光ディスク２１の保護層の色に応じて、光ディスク２１へのデータ書き込み時におけるストラテジを変更する光ディスク装置２０であって、装着された光ディスク２１の保護層の色を確認する色彩確認手段５２と、光ディスク２１へのデータ書き込み時における複数パターンのストラテジが記憶された記憶手段５０と、色彩確認手段５２により確認された光ディスク２１の保護層の色に応じて、記憶手段５０に記憶されている複数パターンのストラテジのうち一つのストラテジを選択するストラテジ選択手段５４と、ストラテジ選択手段５４により選択されたストラテジに基づいて光ディスク２１にデータを記録する記録制御手段５６を具備することを特徴とする。【選択図】        図２
2006236505.tif 000002
【特許請求の範囲】
【請求項１】
光ディスクの記録面の色に応じて、光ディスクへのデータ書き込み時におけるストラテジを変更する光ディスク装置であって、
装着された光ディスクの記録面の色を確認する色彩確認手段と、
光ディスクへのデータ書き込み時におけるストラテジが記憶された記憶手段と、
前記色彩確認手段により確認された光ディスクの記録面の色に応じて、前記記憶手段に記憶されているストラテジのうち一つのストラテジを選択する選択手段と、
前記選択手段により選択されたストラテジに基づいて前記光ディスクにデータを記録する記録制御手段を具備することを特徴とする光ディスク装置。
【請求項２】
光ディスクの記録面の色に応じて、データ記録用レーザー出力値を変更する光ディスク装置であって、
装着された光ディスクの記録面の色を確認する色彩確認手段と、
光ディスクの記録面の色に対応したデータ記録用レーザー出力値が記憶された記憶手段と、
前記色彩確認手段により確認された光ディスクの記録面の色に応じて、前記記憶手段に記憶されているデータ記録用レーザー出力値のうち一つを選択する選択手段と、
前記選択手段により選択されたデータ記録用レーザー出力値に基づいて前記光ディスクにデータを記録する記録制御手段を具備することを特徴とする光ディスク装置。
【請求項３】
光ディスクの記録面の色に応じて、光ディスクへのデータ書き込み時におけるストラテジおよびデータ記録用レーザー出力値を変更する光ディスク装置であって、
装着された光ディスクの記録面の色を確認する色彩確認手段と、
光ディスクの記録面の色に応じたストラテジおよび記録用レーザー出力値が記憶された記憶手段と、
前記色彩確認手段により確認された光ディスクの記録面の色に応じて、前記記憶手段に記憶されているストラテジのうち一つのストラテジと、データ記録用レーザー出力値のうち一つのデータ記録用レーザー出力値を選択する選択手段と、
前記選択手段により選択されたストラテジおよびデータ記録用レーザー出力値に基づいて前記光ディスクにデータを記録する記録制御手段を具備することを特徴とする光ディスク装置。
【請求項４】
光ディスクの記録面の色に応じて、光ディスクへのデータ書き込み時におけるストラテジを変更する光ディスク装置であって、
装着された光ディスクの記録面の色を確認する色彩確認手段と、
光ディスクのディスク情報に対応する基本ストラテジと、光ディスクの記録面の色に応じて前記基本ストラテジを変調する変調係数が記憶された記憶手段と、
光ディスク装置に装着された光ディスクのディスク情報と、前記色彩確認手段により確認された光ディスクの記録面の色に応じて、前記記憶手段に記憶されている基本ストラテジおよび変調係数のうち、一つの基本ストラテジおよび変調係数を選択する選択手段と、
前記選択手段により選択された前記基本ストラテジと前記変調係数により変調ストラテジを算出する算出手段と、
前記変調ストラテジに基づいて、前記光ディスクにデータを記録する記録制御手段を具備することを特徴とする光ディスク装置。
【請求項５】
光ディスクの記録面の色に応じて、光ディスクへのデータ書き込み時におけるデータ記録用レーザー出力値を変更する光ディスク装置であって、
装着された光ディスクの記録面の色を確認する色彩確認手段と、
光ディスクのディスク情報に対応するデータ記録用基本レーザー出力値と、光ディスクの記録面の色に応じて前記データ記録用基本レーザー出力値を補正する補正係数が記憶された記憶手段と、
光ディスク装置に装着された光ディスクのディスク情報と、前記色彩確認手段により確認された光ディスクの記録面の色に応じて、前記記憶手段に記憶されているデータ記録用基本レーザー出力値および補正係数のうちの一つの補正係数を選択する選択手段と、
前記選択手段により選択された前記データ記録用基本レーザー出力値および補正係数によりデータ記録用補正レーザー出力値を算出する算出手段と、
前記データ記録用補正レーザー出力値に基づいて、前記光ディスクにデータを記録する記録制御手段を具備することを特徴とする光ディスク装置。
【請求項６】
光ディスクの記録面の色に応じて、光ディスクへのデータ書き込み時におけるストラテジおよびデータ記録用レーザー出力値を変更する光ディスク装置であって、
装着された光ディスクの記録面の色を確認する色彩確認手段と、
光ディスクのディスク情報に対応する基本ストラテジおよび前記基本ストラテジを変調する変調係数と、光ディスクのディスク情報に対応するデータ記録用基本レーザー出力値および前記データ記録用基本レーザー出力値を補正する補正係数が記憶された記憶手段と、
光ディスク装置に装着された光ディスクのディスク情報と、前記色彩確認手段により確認された光ディスクの記録面の色に応じて、前記記憶手段に記憶されている基本ストラテジおよび変調係数のうち、一つの基本ストラテジおよび変調係数を選択すると共に、光ディスク装置に装着された光ディスクのディスク情報と、前記色彩確認手段により確認された光ディスクの記録面の色に応じて、前記記憶手段に記憶されているデータ記録用基本レーザー出力値および補正係数のうちの一つのデータ記録用基本レーザー出力値および補正係数を選択する選択手段と、
前記選択手段により選択された前記基本ストラテジと前記変調係数により変調ストラテジを算出すると共に、前記選択手段により選択された前記データ記録用基本レーザー出力値と前記補正係数によりデータ記録用補正レーザーパワー出力値を算出する算出手段と、
前記変調ストラテジおよび前記データ記録用補正レーザー出力値に基づいて、前記光ディスクにデータを記録する記録制御手段を具備することを特徴とする光ディスク装置。
【請求項７】
前記色彩確認手段は、光ディスクに判別光を照射する判別光照射手段と、
該判別光照射手段により照射された判別光に対する光ディスクからの反射光を受光する受光手段を有していることを特徴とする請求項１〜６のうちのいずれか一項記載の光ディスク装置。
【請求項８】
前記受光手段は、カラーセンサであることを特徴とする請求項７記載の光ディスク装置。
【発明の詳細な説明】
【技術分野】
【０００１】
本発明は光ディスク装置に関し、より詳細には、光ディスクの記録面の色彩に応じて、ストラテジおよびデータ記録用レーザー出力のうち少なくとも一方を最適化した状態にする光ディスク装置に関する。
【背景技術】
【０００２】
光ディスクに情報を記録する際においては、書き込み用のレーザー光により、記録面にビットを形成することによりなされている。現在、データの書き込み可能な光ディスクとしては、ＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等様々な種類のものが提供されている。
上記各種の光ディスクは、光ディスクの構造が異なっているため、それぞれの光ディスクの構造に合ったデータ記録用レーザーの出力制御（いわゆるストラテジ）がある。このように、光ディスクの種類（構造）に応じてデータ記録用レーザーの出力制御（ストラテジ）を適宜変更することにより、光ディスクへのデータ記録品位を向上させることが可能な光ディスク装置制御プログラムとして、例えば、特許文献１に記載されているものがある。この光ディスク装置制御プログラムを用いれば、各光ディスクに対して最適な条件でデータの記録が行えるものとされている。
【特許文献１】特開２００５−００４８８７号公報
【発明の開示】
【発明が解決しようとする課題】
【０００３】
近年においては、光ディスクの種類は同じであっても、記録面の色合いが異なる光ディスクが提供されるようになってきている。このように、光ディスクの記録面の色が異なることにより、ユーザは好みや使用目的に応じて光ディスクの色を適宜使い分けすることができるため好都合である。
ところで、現在提供されている光ディスク装置は、リードインにおけるＡＴＩＰ等のディスク情報により、光ディスクの種類や製造メーカーを把握することができるが、光ディスクの記録面の色彩についてまでは把握することができない。
【０００４】
光ディスクの種類が同じであっても、記録面の色彩が異なれば、データ書き込みに用いられるレーザー光(通常は赤色）が記録層に到達するまでの光強度が異なるため、例え同じ種類の光ディスクであっても、ビットの形成状態（すなわちデータの書き込み品位）にバラつきが生じてしまうといった課題がある。特に、記録面の色がレーザー光と同色（赤色）の場合には、透明な記録面を想定して提供されたストラテジやデータ記録用のレーザー光の出力値を用いてデータの記録を行うと、ビットの形成が不十分になり、データの書き込み品位が低下してしまうといった深刻な課題がある。
【０００５】
本発明は、光ディスクの種類に加え、光ディスクの記録面の色彩に応じて、ストラテジとデータ記録用のレーザー光の出力値のうち少なくとも一方を最適化することによりデータを高品位で記録することが可能な光ディスク装置の提供を目的とするものである。
【課題を解決するための手段】
【０００６】
本発明は、光ディスクの記録面の色に応じて、光ディスクへのデータ書き込み時におけるストラテジを変更する光ディスク装置であって、装着された光ディスクの記録面の色を確認する色彩確認手段と、光ディスクへのデータ書き込み時におけるストラテジが記憶された記憶手段と、前記色彩確認手段により確認された光ディスクの記録面の色に応じて、前記記憶手段に記憶されているストラテジのうち一つのストラテジを選択する選択手段と、前記選択手段により選択されたストラテジに基づいて前記光ディスクにデータを記録する記録制御手段を具備することを特徴とする光ディスク装置である。
【０００７】
また、光ディスクの記録面の色に応じて、データ記録用レーザー出力値を変更する光ディスク装置であって、装着された光ディスクの記録面の色を確認する色彩確認手段と、光ディスクの記録面の色に対応したデータ記録用レーザー出力値が記憶された記憶手段と、前記色彩確認手段により確認された光ディスクの記録面の色に応じて、前記記憶手段に記憶されているデータ記録用レーザー出力値のうち一つを選択する選択手段と、前記選択手段により選択されたデータ記録用レーザー出力値に基づいて前記光ディスクにデータを記録する記録制御手段を具備することを特徴とする光ディスク装置である。
【０００８】
また、光ディスクの記録面の色に応じて、光ディスクへのデータ書き込み時におけるストラテジおよびデータ記録用レーザー出力値を変更する光ディスク装置であって、装着された光ディスクの記録面の色を確認する色彩確認手段と、光ディスクの記録面の色に応じたストラテジおよび記録用レーザー出力値が記憶された記憶手段と、前記色彩確認手段により確認された光ディスクの記録面の色に応じて、前記記憶手段に記憶されているストラテジのうち一つのストラテジと、データ記録用レーザー出力値のうち一つのデータ記録用レーザー出力値を選択する選択手段と、前記選択手段により選択されたストラテジおよびデータ記録用レーザー出力値に基づいて前記光ディスクにデータを記録する記録制御手段を具備することを特徴とする光ディスク装置である。
【０００９】
また、光ディスクの記録面の色に応じて、光ディスクへのデータ書き込み時におけるストラテジを変更する光ディスク装置であって、装着された光ディスクの記録面の色を確認する色彩確認手段と、光ディスクのディスク情報に対応する基本ストラテジと、光ディスクの記録面の色に応じて前記基本ストラテジを変調する変調係数が記憶された記憶手段と、光ディスク装置に装着された光ディスクのディスク情報と、前記色彩確認手段により確認された光ディスクの記録面の色に応じて、前記記憶手段に記憶されている基本ストラテジおよび変調係数のうち、一つの基本ストラテジおよび変調係数を選択する選択手段と、前記選択手段により選択された前記基本ストラテジと前記変調係数により変調ストラテジを算出する算出手段と、前記変調ストラテジに基づいて、前記光ディスクにデータを記録する記録制御手段を具備することを特徴とする光ディスク装置である。
【００１０】
また、光ディスクの記録面の色に応じて、光ディスクへのデータ書き込み時におけるデータ記録用レーザー出力値を変更する光ディスク装置であって、装着された光ディスクの記録面の色を確認する色彩確認手段と、光ディスクのディスク情報に対応するデータ記録用基本レーザー出力値と、光ディスクの記録面の色に応じて前記データ記録用基本レーザー出力値を補正する補正係数が記憶された記憶手段と、光ディスク装置に装着された光ディスクのディスク情報と、前記色彩確認手段により確認された光ディスクの記録面の色に応じて、前記記憶手段に記憶されているデータ記録用基本レーザー出力値および補正係数のうちの一つの補正係数を選択する選択手段と、前記選択手段により選択された前記データ記録用基本レーザー出力値および補正係数によりデータ記録用補正レーザー出力値を算出する算出手段と、前記データ記録用補正レーザー出力値に基づいて、前記光ディスクにデータを記録する記録制御手段を具備することを特徴とする光ディスク装置である。
【００１１】
また、光ディスクの記録面の色に応じて、光ディスクへのデータ書き込み時におけるストラテジおよびデータ記録用レーザー出力値を変更する光ディスク装置であって、装着された光ディスクの記録面の色を確認する色彩確認手段と、光ディスクのディスク情報に対応する基本ストラテジおよび前記基本ストラテジを変調する変調係数と、光ディスクのディスク情報に対応するデータ記録用基本レーザー出力値および前記データ記録用基本レーザー出力値を補正する補正係数が記憶された記憶手段と、光ディスク装置に装着された光ディスクのディスク情報と、前記色彩確認手段により確認された光ディスクの記録面の色に応じて、前記記憶手段に記憶されている基本ストラテジおよび変調係数のうち、一つの基本ストラテジおよび変調係数を選択すると共に、光ディスク装置に装着された光ディスクのディスク情報と、前記色彩確認手段により確認された光ディスクの記録面の色に応じて、前記記憶手段に記憶されているデータ記録用基本レーザー出力値および補正係数のうちの一つのデータ記録用基本レーザー出力値および補正係数を選択する選択手段と、前記選択手段により選択された前記基本ストラテジと前記変調係数により変調ストラテジを算出すると共に、前記選択手段により選択された前記データ記録用基本レーザー出力値と前記補正係数によりデータ記録用補正レーザーパワー出力値を算出する算出手段と、前記変調ストラテジおよび前記データ記録用補正レーザー出力値に基づいて、前記光ディスクにデータを記録する記録制御手段を具備することを特徴とする光ディスク装置である。
【００１２】
また、前記色彩確認手段は、光ディスクに判別光を照射する判別光照射手段と、該判別光照射手段により照射された判別光に対する光ディスクからの反射光を受光する受光手段を有していることを特徴とする。
さらにまた、前記受光手段は、カラーセンサであることを特徴とする。
これらにより、光ディスクの色の確認を容易にしかも確実に行うことができる。
【発明の効果】
【００１３】
本発明にかかる光ディスク装置によれば、装着された光ディスクの種類（光ディスクの構造および製造メーカー）はもちろんのこと、光ディスクの記録面の色彩についても判別し、装着された光ディスクの種類および記録面の色彩に応じて、ストラテジおよびデータ書き込みレーザー出力値を最適化してデータを記録することが可能になる。
また、以上により、常に光ディスク装置における最高のデータ記録品位により光ディスクにデータを記録することが可能になる。
【発明を実施するための最良の形態】
【００１４】
（第１の実施形態）
以下、本発明にかかる光ディスク装置２０の実施の形態について、図面に基づいて説明する。
図１は、本実施の形態における光ディスク装置のブロック図である。
【００１５】
まず、光ディスク装置２０における通常の動作を実行する構成要素について説明する。
光ディスク装置２０は、光ディスク２１を回転させるスピンドルモータ２２と、光ディスク２１にレーザー光を照射すると共に光ディスク２１から反射されたレーザー光を受光する光ピックアップ２４とを具備している。
光ピックアップ２４は、送りモータ２７の駆動によりスレッド軸２５上を光ディスク２１の径方向に移動可能に設けられている。光ピックアップ２４は、ＣＰＵ４８により制御される送り制御信号ｉに基づいて動作する送りモータ２７により、光ディスク２１に対する位置が設定される。
【００１６】
光ピックアップ２４で受光した光ディスク２１からのレーザー反射光強度信号ａは、ＲＦアンプ２６に出力される。ＲＦアンプ２６では、トラッキングエラー信号ｂ、フォーカスエラー信号ｃ、ウォブル信号ｄ等の各制御信号が生成される。
ＲＦアンプ２６で生成されたトラッキングエラー信号ｂ、フォーカスエラー信号ｃは、サーボプロセッサ２８に入力され、サーボプロセッサ２８はこれら制御信号に基づいて、光ピックアップ２４のトラッキングサーボ、フォーカスサーボを制御する。
ウォブル信号ｄは、ＰＬＬ回路３１に入力され、ＰＬＬ回路３１ではウォブル信号に基づいてデータ書き込み時に用いる同期信号ｅが生成される。同期信号ｅは、後述するエンコーダ３０に入力される。
【００１７】
光ディスク２１へ書き込むべきデータは、エンコーダ３０内に入力され、データのＥＦＭ変調やＥＦＭ＋変調等のエンコード処理がなされ、ＰＬＬ回路３１から入力された同期信号ｅに同期される。エンコーダ３０でエンコード処理されたデータは、レーザドライバ３２に入力される。レーザドライバ３２では、エンコードされたデータに基づいて光ピックアップ２４内のレーザダイオードの駆動電流量を制御し、光ピックアップ２４にデータの書き込みを行なわせる。
【００１８】
光ディスク装置２０全体の動作は、ＣＰＵ４８が制御している。ＣＰＵ４８は、スピンドルモータ２２や、サーボプロセッサ２８その他の構成要素について、データ読み出し時やデータ書き込み時におけるそれぞれの動作を統括制御する。
【００１９】
以下、本発明に特有な構成要素について説明する。まず、光ディスクについて説明する。
本実施例で想定している光ディスク２１とは、光ディスク２１の記録面（基板）を構成する材料であるポリカーボネート樹脂に色素を混入させて着色したものである。記録面の材料を着色したことにより、光ディスク２１を着色したようにすることができる。
【００２０】
光ディスク装置２０内には、光ディスク２１に対して所定の光（判別光）を照射するための光照射手段４０が設けられている。判別光は無色又は無色に近い光であることが好ましい。このような判別光を照射する光照射手段４０としては、例えば白色ＬＥＤが好適に用いられる。光照射手段４０は、装着された光ディスク２１の記録面側に判別光を照射できるように光ディスク２１に対して光ピックアップ２４と同一の側に設けられている。
【００２１】
光ディスク装置２０には、光照射手段４０が照射した判別光に対する光ディスク２１からの反射光を受光するために、受光手段としてのカラーセンサが配設されている。カラーセンサの一例として、本実施の形態においては、ＲＧＢセンサ４６が設けられている。
ＲＧＢセンサ４６は、赤（Ｒｅｄ）、緑（Ｇｒｅｅｎ）、青（Ｂｌｕｅ）の３色のそれぞれの光強度を検出可能な素子であって、フォトダイオードの受光面側に赤、緑、青のフィルタのいずれかが交換可能に配設されている。赤のフィルタが受光面側に配置されているときは赤色光の光強度を検出し、緑のフィルタが受光面側に配置されているときは緑色光の光強度を検出し、青のフィルタが受光面側に配置されているときは青色光の光強度を検出することができる。
【００２２】
ＲＧＢセンサ４６の各色のフィルタの切り換え処理についてもＣＰＵ４８によって制御されている。すなわち、ＣＰＵ４８は所定のタイミングでフィルタ切換信号ｇをＲＧＢセンサ４６へ出力し、ＲＧＢセンサ４６が検出する判別光により光ディスクからの反射光の色を選択している。各色のフィルタを介して受光された光強度値は受光結果５７として記憶手段５０に記憶される。
【００２３】
ＣＰＵ４８には、光ディスク判別用データ５８が記憶されているＲＯＭ等の記憶手段５０が接続されている。光ディスク判別用データ５８とは、ＲＧＢセンサ４６が、光照射手段４０により照射された判別光による光ディスク２１からの反射光を受光したときの光強度の値にもとづいて、装着されている光ディスク２１の記録面の色彩を判定できる光強度の値に関するデータであって、予め記憶手段５０に記憶されている。これを具体的に説明すると、光ディスク判別用データ５８は、光照射手段４０が光ディスク２１に照射した判別光による反射光をＲＧＢセンサ４６において受光した赤色光、緑色光および青色光の光強度値の閾値からなっている。
また、記憶手段５０には、光ディスクの種類、製造メーカー、記録面の色彩に対応する複数種類のストラテジＳおよびデータ記録用レーザー出力値Ｌが予め記憶されている。
【００２４】
ＣＰＵ４８は、判別光の照射により光ディスク２１から反射された光をＲＧＢセンサ４６で受光し、赤色、緑色および青色のフィルタを介して受光した反射光の光強度値（受光結果５７）と、記憶手段５０に記憶されている各光強度値の閾値（ディスク判別用データ５８）とを比較し、装着された光ディスク２１の記録面の色彩を判断する色彩確認手段５２と、色彩確認手段５２により判別された色彩に基づいて、記憶手段５０からストラテジＳとデータ記録用レーザー出力値Ｌを選択する選択手段５４と、選択手段５４により選択されたストラテジＳおよびデータ記録用レーザー出力値Ｌに基づいて、光ディスク２１へのデータの記録を制御する記録制御手段５９を具備している。
これらの、色彩確認手段５２、制御手段５４、記録制御手段５９は、上記のような動作をするように記述され、予め記憶手段５０に記憶されている動作制御プログラムをＣＰＵ４８が読み込むことにより実行される。
【００２５】
また、光ディスク２１がＣＤである場合、光ディスク２１の最内周に設けられているリードイン２９のＡＴＩＰ（Absolute Time In Pre-groove）には、製造メーカーやディスクの種類といったＡＴＩＰ情報（ディスク情報）が光ディスク製造時に予め記録されている。ＡＴＩＰ情報を読み取ることで、従来技術と同様に、光ディスク２１の種類、製造メーカーに関する情報が取得される。
【００２６】
次に、光ディスク装置における特定の光ディスクの判別方法について、図２に基づいて説明する。
まず、ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザー光を光ディスク２１に照射させて、光ディスク２１からの反射光があった場合には、ＣＰＵ４８は光ディスク２１が装着されたことを検知する（ステップＳ１００）。
【００２７】
光ディスク２１が装着されたことが判明した場合には、ＣＰＵ４８は回転制御信号ｈを出力してスピンドルモータ２２を所定の回転速度で回転させる（ステップＳ１０２）。
そして、ＣＰＵ４８は、光ディスク２１に対して判別光を照射するように判別光照射手段４０にオン−オフ制御信号ｆを出力する（ステップＳ１０４）と共に、ＲＧＢセンサ４６に対しては、光ディスク２１に判別光を照射した際における反射光について赤色、緑色および青色の３色の光を受光するようにフィルタ切換信号ｇを出力する（ステップＳ１０６）。
ＲＧＢセンサ４６が受光した各色のフィルタを介して受光した光ディスク２１からの反射光の光強度の値は、ＣＰＵ４８により受光結果５７として受光結果記憶手段５５内に記憶（ステップＳ１０８）される。
【００２８】
さらにＣＰＵ４８は、光ピックアップ２４に光ディスク２１のリードインに記録されているＡＴＩＰ情報を読み出させる（ステップＳ１１０）。ＡＴＩＰ情報は、ＲＦアンプ２６を介してＣＰＵ４８内に入力される。ＣＰＵ４８では入力されたＡＴＩＰ情報を解析して、当該光ディスク２１の種類や製造メーカーを判断する（ステップＳ１１２）。
【００２９】
ＣＰＵ４８は、ステップＳ１０８において予め測定して記憶させておいた、判別光を光ディスク２１に照射したときの反射光をＲＧＢセンサ４６により受光させた受光結果５７（具体的には赤色、緑色および青色の光強度値）を受光結果記憶手段５５から読み出す（ステップＳ１１４）。
続いてＣＰＵ４８は、予め記憶させておいたディスク判別用データ５８である各光強度値の閾値を記憶手段５０から読み出す（ステップＳ１１６）。色彩確認手段５２は、対応するそれぞれの光強度値を比較して装着された光ディスク２１の記録面の色彩を判別する（ステップＳ１１８）。
【００３０】
このようにして光ディスク２１の記録面の色彩を確認することができる。先にＡＴＩＰ情報の解析により得られた光ディスクの種類、製造メーカーの情報の他に、記録面の色彩の情報が得られるため、ストラテジＳとデータ記録用レーザー出力値Ｌの選択に必要なすべての情報が得られる。
また、記録面の色彩が微妙な色合いであった場合でも、ＲＧＢセンサ４６による受光結果５７と光ディスク判別用データ５８とを用いて、光ディスク装置２０において採用される光ディスク２１の記録面の色彩を定量的に判別することができる。すなわち、光ディスク装置２０に用いるストラテジＳおよびデータ記録用レーザー出力値Ｌの選択時に必要な光ディスク２１の色彩情報にばらつきが生じることはない。
【００３１】
選択手段５４は、ＡＴＩＰ情報および色彩確認手段５２により判別された色彩に基づいて、記憶手段５０に記憶されているストラテジＳとデータ記録用レーザー出力値Ｌの中から最適なストラテジＳとデータ記録用レーザー出力値Ｌのそれぞれを選択する(ステップＳ１２０)。
記録制御手段５９は、選択手段５４により選択されたストラテジＳとデータ記録用レーザー出力値Ｌに基づいて、装着された光ディスク２１にデータを記録する（ステップＳ１２２）。
以上のようにして、光ディスク装置２０に装着された光ディスク２１に最適な状態でデータを記録することができる。
【００３２】
（第２の実施形態）
第１の実施形態においては、光ディスク装置２０の内部に、光ディスク２１の記録面の色彩を判別する色彩確認手段５２と、色彩確認手段５２により判別された色彩に基づいて最適なストラテジＳおよびデータ記録用レーザー出力値Ｌを選択する選択手段５４とを具備する形態について説明したが、本実施の形態においては、ユーザの目視確認情報に基づいて、光ディスク装置２０で用いるストラテジＳおよびデータ記録用レーザー出力値Ｌを選択し、選択されたストラテジＳおよびデータ記録用レーザー出力値Ｌに基づいて光ディスク２１にデータを記録する形態について説明する。図３は、第２の実施形態における光ディスク装置のブロック図である。
【００３３】
本実施の形態における光ディスク装置２０は、制御プログラム６０により制御されている。制御プログラム６０は、光ディスク装置２０が接続されているホストコンピュータ１０の記憶手段１２に予めインストールされている。ホストコンピュータ１０は、記憶手段１２の他に、ＣＰＵ１４、入力手段１６、表示装置１８等を具備する一般的なパーソナルコンピュータにより構成することができる。
【００３４】
以下に、本実施の形態にかかる光ディスク装置２０を用いた光ディスク２１へのデータ記録方法について説明する。図４は、本実施の形態における光ディスクの判別方法を示すフロー図である。本実施の形態においても光ディスクとしてＣＤを用いている。
まず、ユーザにより制御プログラム６０が立ち上げられる（ステップＳ２００）。光ディスク装置２０に光ディスク２１が装着されると、ＣＰＵ４８は光ピックアップ２４に試しにレーザー光を照射させて、光ディスク２１からの反射光があった場合には、ＣＰＵ４８は光ディスク２１が装着されたことを検知する（ステップＳ２０２）。
【００３５】
さらにＣＰＵ４８は、光ピックアップ２４に光ディスク２１のリードインに記録されているＡＴＩＰ情報を読み出させる（ステップＳ２０４）。ＡＴＩＰ情報は、ＲＦアンプ２６を介してＣＰＵ４８内に入力される。ＣＰＵ４８では入力されたＡＴＩＰ情報を解析して、当該光ディスク２１の種類や製造メーカーを判断する（ステップＳ２０６）。
装着された光ディスク２１の種類が判断されると、ＣＰＵ４８は、記憶手段５０に記憶されているストラテジＳの中から該当するストラテジＳを選択し、制御プログラム６０を介してホストコンピュータ１０の表示装置１８に表示させる（ステップＳ２０８）。この時点においては、複数種類のストラテジＳが選択されている。表示手段１８に複数のストラテジＳを表示させる際には、ストラテジＳに関する情報（具体的には、対応している記録面の色）を表示させておけば好適である。これによれば、ユーザが目視により記録面の色を認識する際において、色彩の判断が容易になり好都合である。
【００３６】
ユーザは、光ディスク装置２０に光ディスク２１を装着させる際に、予め判断しておいた記録面の色を、キーボードやマウス等の入力手段１６を用いて制御プログラム６０に光ディスク２１の色彩情報を入力する（ステップＳ２１０）。なお、ステップＳ２０８において、ＡＴＩＰ情報に基づいて既にストラテジＳの候補が予め抽出されているので、ホストコンピュータ１０のＣＰＵ１４が制御プログラム６０に入力された色彩情報に基づいて最終的に使用すべきストラテジＳと、データ記録用レーザー出力値Ｌを記憶手段５０から選択する（ステップＳ２１２）。そして制御プログラム６０は、選択されたストラテジＳおよびデータ記録用レーザー出力値Ｌを光ディスク装置２０の記録制御手段５９に送信する（ステップＳ２１４）。
そして記録制御手段５９が転送されたストラテジＳおよびデータ記録用レーザー出力値Ｌに基づいて、装着されている光ディスク２１にデータを記録（ステップＳ２１６）する。
このような構成をとることにより、光ディスク装置２０の構成を簡略にすることが可能になるため好都合である。
【００３７】
（第３の実施形態）
上述の実施形態においては、光ディスク２１の種類、製造メーカー、記録面の色彩に応じた個々のストラテジＳおよびデータ記録用レーザー出力値Ｌが記憶されているため、記憶手段５０の記憶容量が膨大になってしまうことが予想される。
そこで、本実施の形態においては、図５に示すような構成を採用している。なお、図５において、先述の実施の形態において説明した構成要素と同じ符号が付されているものについては詳細な説明を省略する。
【００３８】
本実施の形態における記憶手段５０には、光ディスク２１の種類、製造メーカーに応じた基本ストラテジＫＳおよびデータ記録用基本レーザー出力値ＫＬと、記録面の色彩に基づいて基本ストラテジＫＳを変調させる変調係数Ｈおよびデータ記録用基本レーザー出力値ＫＬを補正する補正係数Ｋを記憶させている。
また、ＣＰＵ４８は算出手段５９を有している。算出手段５９が記録面の色彩に基づいて、基本ストラテジＫＳを変調係数Ｈにより変調させると共に、データ記録用基本レーザー出力値ＫＬを補正係数Ｈにより補正する。これにより記録面の色彩に適した変調ストラテジおよびデータ記録用補正レーザー出力値が算出される。そして記録制御手段５６が変調ストラテジおよびデータ記録用補正レーザー出力値に基づいてデータを記録する形態とすることもできる。この場合、変調係数Ｈおよび補正係数Ｋは、事前に実験により算出し、記憶手段５０に記憶させておけば良い。
【００３９】
このように光ディスク２１の記録面の色彩に対応する変調係数Ｈおよび補正係数Ｈを用いる形態とすることにより、光ディスク装置２０の記憶手段５０に予め記憶させておくストラテジの数を最小限にすることができるため好都合である。
また、変調係数Ｈの代わりに変調関数を採用することももちろん可能である。
【００４０】
次に、本実施の形態における光ディスクへ２１のデータ記録方法について図６に基づいて説明する。
ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザー光を光ディスク２１に照射させて、光ディスク２１からの反射光があった場合には、ＣＰＵ４８は光ディスク２１が装着されたことを検知する（ステップＳ３００）。
【００４１】
光ディスク２１が装着されたことが判明した場合には、ＣＰＵ４８は回転制御信号ｈを出力してスピンドルモータ２２を所定の回転速度で回転させる（ステップＳ３０２）。
そして、ＣＰＵ４８は、光ディスク２１に対して判別光を照射するように判別光照射手段４０にオン−オフ制御信号ｆを出力する（ステップＳ３０４）と共に、ＲＧＢセンサ４６に対しては、光ディスク２１に判別光を照射した際における反射光について赤色、緑色および青色の３色の光を受光するようにフィルタ切換信号ｇを出力する（ステップＳ３０６）。
ＲＧＢセンサ４６が受光した各色のフィルタを介して受光した光ディスク２１からの反射光の光強度の値は、ＣＰＵ４８により受光結果５７として受光結果記憶手段５５内に記憶（ステップＳ３０８）される。
【００４２】
ＣＰＵ４８は、ステップＳ１０８において予め測定して記憶させておいた、判別光を光ディスク２１に照射したときの反射光をＲＧＢセンサ４６により受光させた受光結果５７（具体的には赤色、緑色および青色の光強度値）を受光結果記憶手段５５から読み出す（ステップＳ３１０）。
続いてＣＰＵ４８は、予め記憶させておいたディスク判別用データ５８である各光強度値の閾値を記憶手段５０から読み出す（ステップＳ３１２）。色彩確認手段５２は、対応するそれぞれの光強度値を比較して装着された光ディスク２１の記録面の色彩を判別（確認）する（ステップＳ３１４）。
【００４３】
光ディスク２１の記録面の色彩が判別されたら、選択手段５４が記憶手段５０から該当する変調係数Ｈと補正係数Ｋを読み出す（ステップＳ３１６）。そしてＣＰＵ４８は、光ピックアップ２４に光ディスク２１のリードインに記録されているＡＴＩＰ情報を読み出させ、ＡＴＩＰ情報を取得する（ステップＳ３１８）。選択手段５４は、記憶手段５０から取得したＡＴＩＰ情報に該当する基本ストラテジＫＳおよびデータ記録用基本レーザー出力ＫＬを読み出す（ステップＳ３２０）。
【００４４】
算出手段５９は、基本ストラテジＫＳと変調係数Ｈを用いて変調ストラテジを算出すると共に、データ記録用基本レーザー出力値ＫＬと補正係数Ｋを用いてデータ記録用補正レーザー出力を算出する（ステップＳ３２２）。
算出手段５９により算出された変調ストラテジとデータ記録用補正レーザー出力値は記録制御手段５６に送信され、記録制御手段５６は、変調ストラテジとデータ記録用補正レーザー出力値に基づいて光ディスク２１にデータを記録する（ステップＳ３２４）。このようにすることで、記憶手段５０へのデータ蓄積容量を最小限にしつつも、最適なストラテジおよびデータ記録用レーサー出力値でデータの記録が可能になるため、データ記録品位の高い光ディスク装置を低コストにて提供することができ非常に好都合である。
【００４５】
以上に本願発明を実施の形態に基づいて詳細に説明してきたが、本願発明は、以上の実施の形態に限定されるものではない。例えばＡＴＩＰ情報に代表されるディスク情報には、当該光ディスクの記録面の色彩についての情報が含まれていることも考えられる。このような場合においては、ＣＰＵ４８が読み込んだディスク情報により、色彩確認手段５２が光ディスクの記録面の色彩を判別することももちろん可能である。
【００４６】
また、以上の実施の形態においては、光ディスク２１としてＣＤを用いて説明をしているが、光ディスク２１はＣＤに限定されるものではない。ＣＤの他にもＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等様々な種類の光ディスク２１がある。これらの光ディスク２１にもＣＤで云うところのＡＴＩＰ情報に該当するディスク情報が記録されているので、記録面の色彩外についての情報はＣＤと同様にリードイン部分のディスク情報を読み取れば把握することができるため、本発明を適用することができるのはいうまでもない。
【００４７】
さらには、制御プログラム６０による処理を光ディスク装置２０に予め設けられているライトアプリケーションに実行させるようにすることも可能である。これによれば、制御プログラム６０はもちろんのこと、制御プログラム６０が記憶されているホストコンピュータ１０が不要になる。すなわち、光ディスク装置２０のみで本願発明を実行することができるため、非常に利便性が向上し好適である。
さらにまた、光ディスク２１の記録面の色彩の判別に関連する処理と、光ディスク２１のディスク情報に関連する処理は、いずれを先に実行させても構わないのはもちろんである。
【図面の簡単な説明】
【００４８】
【図１】第１の実施形態における光ディスク装置のブロック図である。
【図２】第１の実施形態における光ディスクへのデータ記録方法を示すフロー図である。
【図３】第２の実施形態における光ディスク装置のブロック図である。
【図４】第２の実施形態における光ディスクへのデータ記録方法を示すフロー図である。
【図５】第３の実施形態における光ディスク装置のブロック図である。
【図６】第３の実施形態における光ディスクへのデータ記録方法を示すフロー図である。
【符号の説明】
【００４９】
２０  光ディスク装置
２１  光ディスク
４８  ＣＰＵ
５０  記憶手段
５２  色彩確認手段
５４  選択手段
５５  受光結果記憶手段
５６  記録制御手段
５９  算出手段
６０  制御プログラム
Ｓ  ストラテジ
Ｌ  データ記録用レーザー出力値
ＫＳ  基本ストラテジ
ＫＬ  データ記録用基本レーザー出力値
Ｈ  変調係数
Ｋ  補正係数
【図１】
2006236505.tif 000003
【図２】
2006236505.tif 000004
【図３】
2006236505.tif 000005
【図４】
2006236505.tif 000006
【図５】
2006236505.tif 000007
【図６】
2006236505.tif 000008